(57)【要約】【課題】  回動式の換気装置で開口部周縁のシール材を長持ちさせしかも十分なシール効果が得られる換気装置を提供する。【解決手段】  屋内外を間仕切りし、周縁をシール材３でシールされた開口部２の対向位置に表面円弧状で長手方向に長い回動蓋１の両端側面に塞ぎ板６が設けられ、この塞ぎ板６に上記回動蓋１を回動軸４に追随回動させたり回動蓋先端が開口部下部のシール材３に当接すると上記回動蓋１をシール部材側に移動させたりするための片側２個の長穴５が設けられ、この塞ぎ板６の両外側に回動軸４と同調回転するガイド板７が設けられ、このガイド板７より上記長穴５に案内軸８が挿通されてなる回動式換気装置【選択図】  図１
2005214000.tif 000002
【特許請求の範囲】
【請求項１】
屋外側から屋内側へ通じる開口部の周縁部にシ−ル材が設けられ対向する位置に設けられた回動軸により回動される開閉用回動蓋によって上記開口部周縁が密閉される方式の回動式換気装置において上記シール材に面する側の断面形状が円弧状で長手方向に長い開閉用回動蓋の両端側面にこの開閉用回動蓋を回動軸に追随回動させしかも全閉時には上記開閉用回動蓋を開口部に設けられた周縁部のシール材に押圧させるための複数個の長穴を有する塞ぎ板が設けられ更にこの塞ぎ板の両外側に回動軸に軸取付されて同調回動するガイド板が設けられこのガイド板から上記各長穴に対し案内軸が挿通され開閉用回動蓋先端が開口部下部のシール材に当接した後上記長穴と上記案内軸とにより上記開閉用回動蓋が上記開口部の周縁部に設けられたシ−ル材に押圧されることを特徴とする回動式換気装置
【請求項２】
回動軸の開口部より外側位置に回動軸同士の連結機能を有ししかも先端に連結用軸穴を持つ回動レバーが軸取付されこの連結用軸穴を介して後部を回動自在に取付されたリニア本体の移動軸先端部が軸連結されリニア本体の伸縮により上記回動軸を自在に回動させる駆動部を有していることを特徴とする請求項１記載の回動式換気装置。
【請求項３】
回動軸の開口部より外側位置に設けられた駆動部がウォーム・ウォーム歯車による伝達機構を有しこの伝達機構の出力軸の片側あるいは両側に微調整可能な長穴を持つフランジジョイントが設けられて上記回動軸あるいは複数の回動軸との連結機能を有することを特徴とする請求項１記載の回動式換気装置。
【発明の詳細な説明】
【技術分野】
【０００１】  本発明装置はカーテンウォールやはめ殺し窓などの無目部に設けられた開口部における回動式開閉蓋を有する回動式換気装置に関する。
【背景技術】
【０００２】  換気方法として従来から行われている最も単純な方法は窓や障子などを開閉して室内空気と外界の空気の入れ換えをする自然換気方法であるが、高層ビル等の窓は地上より風が強いため窓の開閉が出来ないような構造になっている場合が多く、そのほとんどはビル空調による集中システムが採用されている。この窓の開閉が出来ないような構造は進化して最近では遠くから見ると全面ガラスのみで構成されたように見えるビルディングが増えてきているがこの集中システムのビル空調は換気が不十分になりがちで室内空気はきれいとは言えない。そのため自然換気方法が種々工夫され、無目を利用して室内を換気する装置（特許文献１参照）が提供されてきており、この無目を利用した開口部に回動軸を回動させて開口部を塞ぐ換気装置（特許文献２、特許文献３参照）が提供されてきていた。【０００３】  この開口部に回動軸を回動させて開口部を塞ぐ換気装置のルーツとしては特許文献２のものが知られており、これは屋外側面を円弧面とするシャッター板４をその円弧面の中心点に上下回動支軸２０を設けて換気用通孔５に装備し、同通孔５の上下壁部および左右側壁部にわたり、通孔５を囲むようにシール部材９、１０、１３を取付けて、シャッター板４が閉蓋時にこれらシール部材９、１０、１３がシャッター板４周部外面に密接的に当接するようになし、また上記シャッター板４の回動支軸２０と室内側に装備した操作ロッド３０との間に、操作ロッド３０の昇降運動を回動支軸２の回転運動に変換する回動変換手段２６を介在させると共に上記回転支軸２０と同一水平線上をトッグル死点としトッグル死点を越える方向に応じシャッター板４閉蓋方向と開蓋方向とに回動支軸２０に択一的なばね圧を付勢するトッグル機構を上記回動操作手段に具備させた構造のものであり、特許文献３は開閉蓋１１の両側壁９を偏心状態で回転軸１０に取付けしたものである。【０００４】
【特許文献１】        実開昭５９−２８０７号公報  図１
【特許文献２】        実公昭５５−３７６６２号公報  図２、図３
【特許文献３】        特開平１０−２５３１４２号公報フロントページ
【発明の開示】
【発明が解決しようとする課題】
【０００５】  しかしながら特許文献２の構造ではシャッター板４が全開状態（特許文献２の図２参照）から全閉状態（特許文献２の図３参照）に至るまで閉鎖回動時にシャッター板４の先端部４ａがモケット材１４に接触しはじめてからずっとシャッター板４の円弧面が摺接され、開放回動時の際もまた同様であるため、モケット材１４の磨耗が激しく密着性が悪くなるという問題点があり、特許文献３のものは軸に対して偏心状態で取付けされてなるため確かに全開当初位置は開閉蓋１１と開口部周縁のシール材とは乖離状態にあり、最終的には両者は接触して密閉状態を形成するが軸に対して偏心状態で取付けするということは開口部左右側のシール材と開閉蓋とが最適の密閉状態を形成できるのは唯一点でしかなくシール材の表面形状が狂ったり、回転軸の取付位置が狂うと修正のしようがないという問題点がある。本発明はかかる不都合を解決することを目的として提供されたものである。
【課題を解決するための手段】
【０００６】  本発明はかかる不都合を開閉蓋の側壁と軸回転を伝達する側壁とを分離することによってかかる不都合を解決した。すなわち本発明は一つには屋外側から屋内側へ通じる開口部の周縁部にシ−ル材が設けられ対向する位置に設けられた回動軸により回動される開閉用回動蓋によって上記開口部周縁が密閉される方式の回動式換気装置において上記シール材に面する側の断面形状が円弧状で長手方向に長い開閉用回動蓋の両端側面にこの開閉用回動蓋を回動軸に追随回動させ全閉時には上記開閉用回動蓋を開口部に設けられた周縁部のシール材に押圧させるための複数個の長穴を有する塞ぎ板が設けられ更にこの塞ぎ板の両外側に回動軸に軸取付されて回動軸と同調回動するガイド板が設けられこのガイド板から上記各長穴に対し案内軸が挿通され開閉用回動蓋先端が開口部下部のシール材に当接した後上記長穴と上記案内軸とにより上記開閉用回動蓋が上記開口部の周縁部に設けられたシ−ル材に押圧されることを特徴とする回動式換気装置であり、また一つは回動軸の開口部より外側位置に回動軸同士の連結機能を有ししかも先端に連結用軸穴を持つ回動レバーが軸取付されこの連結用軸穴を介して後部を回動自在に取付されたリニア本体の移動軸先端部が軸連結されリニア本体の伸縮により上記回動軸を自在に回動させる駆動部を有していることを特徴とする請求項１記載の回動式換気装置であり、更に一つは回動軸の開口部より外側位置に設けられた駆動部がウォーム・ウォーム歯車による伝達機構を有しこの伝達機構の出力軸の片側あるいは両側に微調整可能な長穴を持つフランジジョイントが設けられて上記回動軸あるいは複数の回動軸との連結機能を有することを特徴とする請求項１記載の回動式換気装置である。【０００７】  ここで使用する塞ぎ板の長穴内を往復移動する案内軸の表面はできれば回転可能な方が望ましく、複数個の長穴の数は多くなればなるほど開閉用回動蓋の動作はより正確になるがそのぶん寸法や形状の精度が要求されるため片側２個が望ましく最も制御し易い。また開口部周縁部に設けられるシ−ル材の種類は上下用のシール材と左右用のシール材の材質が同じであっても異なっていてもどちらでも良く最適のシール材を用いればよい。
【発明の効果】
【０００８】  本発明の回動式換気装置は開閉用回動蓋の先端が開口部下部のシール材に当接するまで開口部上部や左右のシール材にも接触せず、開閉用回動蓋の先端が開口部下部のシール材に当接して初めて開閉用回動蓋はシール材押圧方向に移動し、片側２本の案内軸と長穴とにより開閉用回動蓋は前後部とも同じ力でまんべんなく開口部を塞いでゆくため十分なシール効果が発揮出来、しかも開時・閉時の両方共に開閉用回動蓋が回動している時はシール材とは非接触なためシール材の磨耗がなく長持ちすることになる。また、回動軸の回動角度を調節することで押圧の程度が調整可能である。
【発明を実施するための最良の形態】
【０００９】  以下本発明装置を図に基づいて説明すると、図１は本装置の全閉状況説明用の側面図、図２は全開状況説明用の側面図で空気の流れは矢印で示し、図３は図２の開口部を下から覗いた際の正面図、図４は図１、図２に示す本装置の連結状況を示す分解斜視図である。なお、構成をわかり易くするため特に図１、図２には本来なら見えない部分が見えるように記載されている。
【実施例１】
【００１０】  実施例１は屋外側から屋内側へ通じる開口部２の枠体周縁部にシ−ル材３が設けられこの開口部２に対向する位置で回動軸４が回動することによって開閉用回動蓋１が開口部２を密閉するタイプの回動式換気装置であるが回動軸４と開閉用回動蓋１とは固定連結されたものではない。本装置の構成を説明すると図４に示すようにシール材３に面する側の断面形状が円弧状で長手方向に長い開閉用回動蓋１の両端側面にこの開閉用回動蓋１を回動軸４の回動に追随させ全閉時には開口部２側に上記開閉用回動蓋１の前後部を同時に開口部２の周縁シール材３側に押圧させるための２個の長穴５、５を有する塞ぎ板６が設けられ、更にこの塞ぎ板６の両外側に回動軸４に軸取付されて回動軸４と同調回動するガイド板７が設けられこのガイド板７から塞ぎ板６に設けられた各長穴５に対して案内軸８が挿通されている回動式換気装置であり、この回動式換気装置の駆動部における回動手段は図３において両端を軸受９、９により支持された回動軸４の開口部２の外側位置に、先端部に連結用軸穴１０を持つ回動レバー１１が軸取付され、この連結用軸穴１０を介して後部をリニア取付ブラケット１２に回動自在に取付されたリニア本体１３の移動軸先端部が連結軸１４により軸連結され、リニア本体１２の伸縮により回動軸４を自在に回動させるように構成されたものである。【００１１】  塞ぎ板６に設けられた長穴について説明すると、図２は換気装置の全開位置を示したものである。図２において案内軸８が長穴の図中位置すなわち全開時の長穴の端部にある時、開閉用回動蓋１は回動軸と同心円運動をする。その際開口部左右端部に設けられたシール材表面と開閉用回動蓋１表面との間にはあらかじめ隙間が出来るように構成されており回動軸４が閉鎖方向に回動する際開閉用回動蓋１は先端が開口部下部のシール材３に当接するまで回動軸４と共に同心円運動をし、開閉用回動蓋先端部当接後も回動軸４は回動し案内軸８が回動出来るよう塞ぎ板６には長穴が形成され、その長穴の形状は案内軸８が回動するに従って開閉用回動蓋先端が下部シール材に当接したまま開閉用回動蓋１が開口部２の左右および上部に設けられたシール材３に向かって平行移動するように製作されている。従って上部側の案内軸は開閉用回動蓋の後部側、下部の案内軸は開閉用回動蓋の前部側の押圧を担当し、前後部とも同じ状態でシール表面を押圧できるように構成されてなる。【００１２】  次に動作を説明すると、図２は換気装置の全開位置を示したものである。操作スイッチ（図示せず）がオンされるとリニア本体１３が作動して先端は次第に伸びてゆき、連結軸１４により連結された回動レバー１１を介して回動軸４が次第に回動する。その時開閉用回動蓋両端の塞ぎ板６とガイド板７に設けられた案内軸８と開閉用回動蓋１自身の自重とにより案内軸８が長穴５内を移動することなく開閉用回動蓋１は回動軸４と同心円運動をする。そのとき開閉用回動蓋１表面と開口部周縁のシール材とはあらかじめ設定したように何処も接触しない。【００１３】  その後回動軸４は更に回動して開閉用回動蓋１先端が下部シール材３に当接する。しかし回動軸は更に回動するためガイド板７に設けられた案内軸８もまた回動し長穴に沿���て進む。そのため開閉用回動蓋１は先端を下部シール材３に当接したまま開口部２の左右および上部のシール材３に向かって平行移動し、リニア本体の先端が所定位置まで達した時開口部周縁のシール材３と開閉用回動蓋１とによって開口部２は密閉されることになる。【００１４】  このときの押圧状態の設定は回動レバー１１と回動軸４との連結を一旦はずしてリニア本体の先端を所定位置まで延伸して停止させ、一方手動で回動軸４をまわして押圧状態を設定した後、再び回動レバー１１と回動軸４とを連結固定させればよい。【００１５】  次に全閉状態からの開放動作を説明すると図１は換気装置の全閉位置を示したものである。操作スイッチ（図示せず）がオンされるとリニア本体１３が作動して先端は次第に縮んで全開時には回動レバー１１先端は図中２点鎖線の位置まで縮む。リニア本体１３に連結された回動レバー１１を介して回動軸４が次第に逆転方向に回動する。その際、開閉用回動蓋１は開口部２周縁のシール材３に押圧密着されているため摩擦抵抗が大きく摺動しないため、まず先に、長穴５内を各案内軸８が移動して戻ってゆく。そのためそれに追随して開閉用回動蓋１の押圧力は次第に除かれ、力がつりあったところで若干摺動しようとするが案内軸８が長穴内の一方端に達するため開閉用回動蓋１の表面はシール材３から一気に離されたまま案内軸主導で次第に開口部２は開かれ開閉用回動蓋１は元の位置（図２の位置）まで戻り、開口部２は開放される。
【実施例２】
【００１６】  実施例２の連結状況は図５、図６に示すとおりである。実施例２は実施例１の換気装置の換気ユニットをそのまま用いながらその駆動部を変更したものである。図５において片側を軸受９により支持され開口部２より外側に位置する回動軸４の軸端部に微調整可能な長穴を持つフランジジョイント１５の一方を固着し、続いてその隣にウォーム・ウォーム歯車による伝達機構を持つパワーボックス１６を設置し、その出力軸端部にフランジジョイント１５の他方を固着してフランジジョイント同士を調整後に連結したものである。パワーボックス１６の入力軸側にはギヤドモータ１７がカップリング１８を介して設けられてなる。パワーボックス１６の入力軸のギヤドモータと反対側の軸端は手動ハンドル（図示せず）を用いて軸回動可能ならしめるためのものである。
動作については実施例１と同様である。本実施例２においてはパワーボックス１６の入力軸とギヤドモータ１７を離したためカップリング１８を介在させたがパワーボックスとギヤドモータとは直結させてユニット化したほうが取付スペースのためにも作業工程短縮のためにも望ましい。
【図面の簡単な説明】
【００１７】
【図１】  換気装置の全閉状況説明用の側面図
【図２】  換気装置の全開状況説明用の側面図
【図３】  実施例１の開口部を下から覗いた際の正面図
【図４】  図１、図２に示す実施例の連結状況を示す分解斜視図
【図５】  図３の実施例１に対応する実施例２の正面図
【図６】  図４の実施例１に対応する実施例２の連結状況を示す分解斜視図
【符号の説明】
【００１８】    １、開閉用回動蓋
２、開口部
３、シール材
４、回動軸
５、長穴
６、塞ぎ板
７、ガイド板
８、案内軸
９、軸受
１０、連結用軸穴
１１、回動レバー
１２、リニア取付ブラケット
１３、リニア本体
１４、連結軸
１５、フランジジョイント
１６、パワーボックス
１７、ギヤドモータ
１８、カップリング
【図１】
2005214000.tif 000003
【図２】
2005214000.tif 000004
【図３】
2005214000.tif 000005
【図４】
2005214000.tif 000006
【図５】
2005214000.tif 000007
【図６】
2005214000.tif 000008